(57)【要約】【課題】この発明は、渓流釣りで釣行に使用する目印を兼ねたウキで、道糸に通す必要なく一つの動作で取り付けできて、目印のみ使用、または目印とウキの使用、そのほか大きめに製作してウキのみ使用ができる渓流釣りの差込式発泡目印とそのウキを提供する。【解決手段】球形、タマゴ形、楕円形、円柱形、その他の任意の形状の発泡樹脂において、その中心に切れ込み（１）を入れ、そして切れ込み（１）に横孔や横穴（２）を設け、そこにクリップ（６）、またはそれ以外の弾力体（７）を挿入し付けたが、ただしクリップ（６）の挿入側の先端を刺し込み易い形状とした場合に、横孔や横穴（２）は設けない。【選択図】図１
2011155965.tif 000002
【特許請求の範囲】
【請求項１】
球形、タマゴ形、楕円形、円柱形、その他の任意の形状の発泡樹脂において、その中心に切れ込み（１）を入れ、そして切れ込み（１）に横孔や横穴（２）を設け、そこにクリップ（６）、またはそれ以外の弾力体（７）を挿入し付けたが、ただしクリップ（６）の挿入側の先端を刺し込み易い形状とした場合に、横孔や横穴（２）は設けないことを特徴とする渓流釣りの差込式発泡目印とそのウキ。
【発明の詳細な説明】
【技術分野】
【０００１】  この発明は、渓流釣りで釣行に使用する目印を兼ねたウキで、道糸に通す必要なく一つの動作で取り付けできて、目印のみ使用、または目印とウキの使用、そのほか大きめに製作してウキのみ使用ができる渓流釣りの差込式発泡目印とそのウキに関するものである。
【背景技術】
【０００２】  従来から、発泡樹脂の目印は、固定用に中心にパイプが挿入されていて、使用するには、必ず道糸に通してから小さな栓で固定する必要があり少々めんどうであった。
また、その小さな栓を釣り場で落とすと、見つけるのは難しかった。
その他、発泡樹脂の目印の中には、粘着剤を使用したものもあったが、市場から消えている。【０００３】  釣行中に、ポイントによって、ウキを利用したほうが有利な時は、ゴム管を利用してウキを取り付けたり、または中通しウキを付けたりした。
その場合は一旦、仕掛を外して、または切ってゴム管や中通しウキを通して取り付けていた。
その他の方法では、仕掛全体をウキ仕掛に取り替えて使用した。
ウキ仕掛けを、目印の代わりにそのまま使用した場合は、その重みで目印としての反応が悪く使い難くかった。
その他、現在の目印やウキとしての形状は、球形、タマゴ形、楕円形、円柱形などが多く使用されている。
【発明の開示】
【発明が解決しようとする課題】
【０００４】  発泡樹脂の目印の固定方法を、根本的に見直して道糸に通す方法から、差込式として取り付けることが一つの動作で行えること。
またウキに適しているポイントでは、ミャク釣りからウキ釣りへと素早く変更できること。
そして本発明をウキのみ使用する場合においても、取り付け、取り外しが容易にできること。
そのことで仕掛の浮力の追加や、浮力を減らすことが簡単に行えること。
【課題を解決するための手段】
【０００５】  本発明は上記課題を解決する為のもので、球形、タマゴ形、楕円形、円柱形、その他の任意の形状の発泡樹脂において、その中心に切れ込み（１）を入れ、そして切れ込み（１）に横孔や横穴（２）を設け、そこにクリップ（６）、またはそれ以外の弾力体（７）を挿入し付けたが、ただしクリップ（６）の挿入側の先端を刺し込み易い形状とした場合に、横孔や横穴（２）は設けない。
【発明の効果】
【０００６】  発泡樹脂の目印を、差込式として取り付けることが一つの動作で簡単に行えた。
またウキに適しているポイントでは、ミャク釣りからウキ釣りへと素早く変更できたので便利で仕掛調整が容易になった。
その他、本発明をウキとして使用する場合にも、取り付け取り外しが容易にできた。
その結果、浮力の追加、または浮力を減らすことが簡単に行えた。
【発明を実施するための最良の形態】
【０００７】  以下、本発明の構造について説明する。
図１、図２に示すように、
球形、タマゴ形、楕円形、円柱形、その他の任意の形状の発泡樹脂において、重心のバランスからその中心に切れ込み（１）を入れ、そして切れ込み（１）に横孔や横穴（２）を設け、そこにクリップ（６）、またはそれ以外の弾力体（７）を挿入し付けた。
図は球形と円柱形を例にあげて説明しているがタマゴ形、楕円形、その他の任意の形状でも同様である。
また、本発明では、目印として、またはウキとして形成する場合でも、素材を発泡樹脂としているため、構造は同様である。【０００８】  図３に示すように、中心への切れ込み（１）の深さは、バランスから重心点に近い位置の深さで設けた。
そして図３、図４に示すようにクリップ（６）は二股のクリップ（８）とした。
そして横孔や横穴（２）に挿入して、切れ込み（１）の部分で発泡樹脂の弾力と二股のクリップ（８）の弾力と共に道糸を止める。
また、横孔や横穴のどちらかにするが、両方とも効果は同様である。【０００９】  また図４に示すように、クリップ（６）を二股のクリップ（８）とした場合の材質は竹、木材、グラス樹脂、カーボン樹脂などを使用したが、他の樹脂でも軽量であれば良い。
また、ウキとしてのみ使用する場合は、樹脂でも金属でも良い。
その他、片端を面取りすると、道糸を取り付けるガイドの働きをして使用し易くなった。【００１０】  通常の発泡樹脂を用いた目印やウキとしての形状は、球形、タマゴ形、楕円形、円柱形などが多く使用されているが、本発明では、その他の任意の形状としても使用できた。
例えば、図５に示すように魚のような形状（９）や、図６に示すように、葡萄虫のような形状（１０）などである。
横孔の内径は、二股のクリップ（８）の外形寸法、またはそれより小さく設けて、そこに挿入して接着剤を使用、または使用しないで付けた。
また横穴とした場合も同様である。【００１１】  横孔や横穴（２）の位置について、それは切れ込み（１）の中間付近としても、または中間付近から外れてもバランスが悪く成らなければ良い。【００１２】  本発明の大きさの一例を球形の発泡樹脂の場合で示すと、直系９ミリで浮力を測定すると錘負荷は約０．４グラムであり、ガン玉オモリに例えると１号に近かった。
このような大きさであっても、目印としての使用は鈍重感など全くなかった。
そして、ガン玉オモリ６号を付けてウキの使用としてもできた。
また、ウキのみの使用として、直系１４ミリとした場合の浮力を測定すると錘負荷は約１．６グラムでありガン玉オモリに例えるとＢ５に近く、小ぶりのウキとして考えるならば、浮力は十分であった。【００１３】  本発明は以上の構成よりなっている。
図７に示すように、本発明を目印として、またはウキとして使用するときは、本発明の切れ込み（１）に道糸（１２）を入れ取り付けた。
それは発泡樹脂（３）とクリップ（６）の弾力で道糸（１２）を挟み込み固定した。
そして上下の移動は、ゆっくりとずらして行い、上下の移動後も固定できた。
本発明を目印のみとして使用すると、差込式として道糸に通す必要がなく取り付けが一つの動作で簡単であり、しかも仕掛を切らずに取り付けができるので仕掛調整が容易になった。
また、当然ながら栓を使用していないので、それを何処かに落としてしまって困ることはない。
また本発明をウキとして使用する場合にも、取り付け取り外しが容易にできた。
そこで本発明を１個追加したり、外したりして浮力の追加や、浮力を減らすことは容易に行えた。
またゴムカンや栓を何処かに紛失して困ることもない。
その他、ミャク釣りから浮力の強いウキ釣りへの変更方法は、ミャク釣り仕掛の目印を上にずらし道糸に本発明を挟み込むだけであるので、それも一つの動作で行えた。
そしてポイント、ポイントでの仕掛の調整はミャク釣りからウキ釣り、またはウキ釣りからミャク釣りへと変更できたので便利で釣りの幅が広がった。
【実施例１】
【００１４】  図８に示すように、弾力体のクリップ（６）は金属性のクリップ（１１）とした。
この場合は、鋼線材やバネ材を使用した。
一例をあげると発泡樹脂の９ミリ玉に、太さ０．３ミリ鋼線を使用して片端を道糸のガイトとなるように曲げた。
さらにその先端を内側に曲げると、その部分を発泡樹脂に刺しこめて、それを固定し易くなった。
この場合も、横孔や横穴（２）に挿入した構造であるが、材質から、細いクリップを形成できて、その形状はクリップ（６）の挿入側の先端を刺し込み易い形状とできた。
よって刺し込みながら横孔や横穴（２）を、形成しながら挿入ができた。
また、そのような鋼線材で細いため重量的な問題はない。
その他、金属性のクリップ（１１）の形状は、この限りではなく、道糸を挟めるように作用すれば良い。
そして、この場合でも目印として、またはウキとして同様の効果があった。
【実施例２】
【００１５】  図９に示すように、これはクリップ（６）の挿入側の先端を刺し込み易い形状とした場合の一例である。
このようにしても、横孔や横穴（２）は設ける必要はなく、よって刺し込みながら横孔や横穴（２）を形成しながら挿入していけた。
そして材質は、グラス樹脂、カーボン樹脂などを使用したが、他の樹脂でも軽量であれば良い。
【実施例３】
【００１６】  図１０に示すように、球形、タマゴ形、楕円形、円柱形、その他の任意の形状の発泡樹脂において、その中心の切れ込み（１）に道糸のガイトとなるように面取りをした。
また、二股のクリップ（８）の片端を面取りして、それを伴った形状とすると、道糸へ取り付けの際、ガイドの働きをして更に道糸を挿入し易くなった。
【実施例４】
【００１７】  図１１に示すように、弾力体のクリップ（６）は、バー（４）を２本使用した。
これは、横孔や横穴（２）に挿入することで、二股のクリップ（８）と同用に作用した。
そして材質は二股のクリップ（８）と同様である。
またこの場合にもバー（４）の２本とも片端を面取りすると、それが道糸のガイドとなって使用し易くなった。
さらに発泡樹脂の切れ込み（１）に面取りをして、バー（４）の２本とも片端を面取した形状とすると、それが道糸のガイドの働きをして更に使用し易くなった。
この場合にも、目印として、またはウキとして同様の効果があった。
【実施例５】
【００１８】  図１２に示すように、クリップ（６）以外の弾力体（７）を横孔や横穴（２）に挿入して接着剤を使用、または使用しないで付けた。
そして、弾力体（７）は、ゴム体としたが、同じような特性の弾力体であれば良い。
このようにして本発明を差し込み道糸に取り付けると、弾力体（７）と発泡樹脂（３）との隙間に道糸が入り弾力体（７）と発泡樹脂（３）の弾力によって道糸は固定される。
この場合でも発泡樹脂（３）の切れ込み（１）に面取りをした形状とすると、それが道糸のガイドの働きをして使用し易くなった。
このようにしても目印として、またはウキとして同様の効果があった。
【図面の簡単な説明】
【００１９】
【図１】  本発明の斜視図
【図２】  本発明の実施例、円柱形状とした斜視図
【図３】  本発明の実施例、破断した説明図
【図４】  本発明の実施例、弾力体のクリップを、二股のクリップとし面取りをした形状を示す斜視図
【図５】  本発明の実施例、発泡樹脂を魚のような形状とした斜視図
【図６】  本発明の実施例、葡萄虫のような形状とした斜視図
【図７】  本発明の使用状態を示す斜視図
【図８】  本発明の実施例、弾力体のクリップを、金属製のクリップとした形態を示す破断した説明図
【図９】  本発明の実施例、クリップの挿入側の先端を刺し込み易い形状とした場合の一例を示す説明図
【図１０】  本発明の実施例、発泡樹脂の切れ込みに面取りをした形状を示す斜視図
【図１１】  本発明の実施例、クリップはバーを２本使用した形態を示す破断した説明図
【図１２】  本発明の実施例、クリップ以外の弾力体とした形態を示す破断した説明図
【符号の説明】
【００２０】  １切れ込み、２横孔や横穴、３発泡樹脂、４バー、５面取り部分、６クリップ、７弾力体、８二股のクリップ、９魚のような形状、１０葡萄虫のような形状、１１金属製のクリップ、１２道糸、１３切れ込みの境、１４刺し込みの先端部分
【図１】
2011155965.tif 000003
【図２】
2011155965.tif 000004
【図３】
2011155965.tif 000005
【図４】
2011155965.tif 000006
【図５】
2011155965.tif 000007
【図６】
2011155965.tif 000008
【図７】
2011155965.tif 000009
【図８】
2011155965.tif 000010
【図９】
2011155965.tif 000011
【図１０】
2011155965.tif 000012
【図１１】
2011155965.tif 000013
【図１２】
2011155965.tif 000014